(57)【特許請求の範囲】
【請求項１】
表層に磁気層を有する乗車券を原料とし、該乗車券を細かく破砕した破砕紙片から成り、該破砕紙片は未離解紙片の周辺に綿状の離解パルプ繊維を有する構造のものと、全体が離解された綿状の離解パルプ繊維とから成り、上記周辺に綿状の離解パルプ繊維を有する未離解紙片が表層に上記磁気層を残留保持し、上記両破砕紙片に吸水性ポリマー又はでんぷん又はＣＭＣを混合して圧縮成形し粒体又は薄片を形成し、該粒体又は薄片は上記圧縮成形した後分断して形成した破断面を有することを特徴とする嘔吐物用又は排泄物用処理材。
【請求項２】
木粉を含むことを特徴とする請求項１記載の嘔吐物用又は排泄物用処理材。
【請求項３】
表層に樹脂コート層を有する包装箱を原料とし、該包装箱を細かく破砕した破砕紙片から成り、該破砕紙片は未離解紙片の周辺に綿状の離解パルプ繊維を有する構造のものと、全体が離解された綿状の離解パルプ繊維とから成り、上記周辺に綿状の離解パルプ繊維を有する未離解紙片が表層に上記樹脂コート層を残留保持し、上記両破砕紙片に吸水性ポリマー又はでんぷん又はＣＭＣを混合して圧縮成形し粒体又は薄片を形成し、該粒体又は薄片は上記圧縮成形した後分断して形成した破断面を有することを特徴とする嘔吐物用又は排泄物用処理材。
【請求項４】
木粉を含むことを特徴とする請求項３記載の嘔吐物用又は排泄物用処理材。
【発明の詳細な説明】
【０００１】
【発明の属する技術分野】
この発明は人間の嘔吐物又は動物の排泄物の処理材として、乗車券又は包装箱を原料として再利用した嘔吐物用又は排泄物用処理材に関する。
【０００２】
【従来の技術】
従来より製紙用の木材パルプを造粒し粒状にして成る動物の排泄物処理材が周知であるが、この木材パルプを原料とする排泄物処理材は省資源の要請に反し、又木材パルプは比較的高価であり、経済性と入手性において難点を有している。
【０００３】
【課題を解決するための手段】
本発明は上記木材パルプに代わる原料として、列車の停車駅から多量に排出される使用済み乗車券を再利用した嘔吐物用又は排泄物用処理材、又は商品の包装に多量に用いられる使用済み包装箱を再利用した嘔吐物用又は排泄物用処理材を提供し、省資源の要請に資する。
【０００４】
上記乗車券又は包装箱は、これを細かく破砕した破砕紙片を圧縮成形した粒体又は薄片を嘔吐物用又は排泄物用処理材として用いる。
【０００５】
更に、上記資材が固有する板紙構造、即ち上記乗車券が固有する磁気層又は包装箱が固有する樹脂コート層を上記破砕紙片の表層として残留保持せしめ、この磁気層又は樹脂コート層を嘔吐物乃至排泄物の水分の遮水層として機能せしめ、吸収した水分の保持効果を富有する嘔吐物用又は排泄物用処理材を提供する。
【０００６】
上記破砕紙片には木粉を混ぜ上記粒体を形成して吸水性能を改善すると共に、木粉特有の香りにより嘔吐物又は排泄物の異臭を抑制する。
【０００７】
【発明の実施の形態】
図１に示すように、列車の乗車券１は紙層２（基材となる板紙）の一方の表面に乗車区間等を示す印刷層３を有し、同他方の表面の全面に磁気層４を有する。この乗車券１を嘔吐物用又は排泄物用処理材の原料とする。
【０００８】
又図２に示すように、包装箱５は紙層２（基材となる板紙）の一方の表面又は／及び他方の表面に樹脂コート層６を有する。この包装箱５を嘔吐物用又は排泄物用処理材の原料とする。
【０００９】
上記乗車券１を細かく破砕して図３に示す破砕紙片７を形成する。
【００１０】
図５Ａ，Ｂに示すように、表層に上記磁気層４を残留保持せる破砕紙片７を造粒して粒体８又は薄片８′にし、この粒体８又は薄片８′を嘔吐物用又は排泄物用処理材として用いる。
【００１１】
同様に一方と他方の表層又は一方の表層に樹脂コート層６を有する包装箱５を細かく破砕して図４に示す破砕紙片７を形成する。
【００１２】
図５Ａ，Ｂに示すように、両面又は片面の表層に樹脂コート層６を残留保持せる上記破砕紙片７を造粒して粒体８又は薄片８′にし、この粒体８又は薄片８′を嘔吐物用又は排泄物用処理材として用いる。
【００１３】
図６に示すように、上記乗車券１及び包装箱５を破砕し破砕紙片７を形成する手段として、例えば円筒形のスクリーン９の上部供給口１０から乗車券１を連続的に供給し、同様に包装箱５を分裁した上で上記上部供給口１０から連続的に供給し、上記スクリーン９の内面に沿ってハンマークラッシャー１１を回転させて上記乗車券１又は包装箱５をスクリーン９内面とハンマークラッシャー１１との間で摺擦し、引きちぎるように破砕する。この時、スクリーン９に破砕歯１２を設け、この破砕歯１２とハンマークラッシャー１１との間で上記乗車券１と包装箱５を引きちぎるように破砕し上記破砕紙片７を形成することができる。
【００１４】
図３Ａ，Ｂ，Ｃに示すように、上記破砕によって形成された乗車券１の破砕紙片７は紙層２を組成するパルプ繊維７ｂがほぐされて（離解状態になって）絡み合い綿状を呈する。
【００１５】
図３Ａに示すように、この破砕紙片７はその破砕度により一部がほぐされないで未離解紙片７ａを原形として保有しつつ、この未離解紙片７ａの周辺に上記離解された綿状の離解パルプ繊維７ｂを有する。
【００１６】
又は図３Ｃに示すように、破砕紙片７の一部は全体が離解されて綿状を呈する離解パルプ繊維７ｂから成る。
【００１７】
上記図３Ａに示す乗車券１を原料とする破砕紙片７は図３Ｂに示すように、その紙層２の表層に上記磁気層４を残留保持する。他方図３Ｃに示す破砕紙片７は全体が綿状に離解され、この綿状紙層２の表層に上記磁気層４を残留しないものと、残留するものとが存する。
【００１８】
本発明は上記磁気層４を残留保持する破砕紙片７と、磁気層４を残留保持しない破砕紙片７とが混在する場合を含む。
【００２５】
上記破砕紙片７を多数集合して造粒し、図５Ａに示す粒体８を形成する。好ましい例として、上記破砕紙片７の集合体又は上記破砕紙片７と上記木粉，無機充填材，パルプスラッジの一種又は二種以上を混合した混合体に吸収性ポリマー又はでんぷん又はＣＭＣ等の凝固剤を混合し、噴霧又はシャワーにて貧加水して撹拌し、これを既知の造粒機にかけ造粒して乾燥し、粒体８を得る。
【００２６】
又は上記綿状破砕紙片７の集合体又は上記破砕紙片７と上記木粉，無機充填材，パルプスラッジの一種又は二種以上を混合した混合体に凝固剤を混合し、噴霧又はシャワーにて貧加水して撹拌し、これを既知の圧縮機にかけ平板状にし、これを細分化して図５Ｂに示す薄片８′を形成する。
【００２７】
上記凝固剤は貧加水と乾燥により部分反応し、綿状破砕紙片７相互の結合材として機能する。即ち保形材として機能し、粒体８の粒子形態と薄片８′の形態を保持する。
【００２８】
又は上記凝固剤（粉体）の一又は二以上を粒体８及び薄片８′の表面を覆うようにまぶし、噴霧又はシャワーにて貧加水して弱凝固せしめ凝固剤の被覆層を形成する。
【００２９】
上記乗車券１を原料とする粒体８又は薄片８′を嘔吐物の表面を覆うように多量にかけ、嘔吐物の水分を吸収させた上で回収し廃棄する。例えば、水洗トイレ等にそのまま流す。
【００３０】
又動物の場合には、トレー等の便器に上記粒体８又は薄片８′を多量に敷設し、その上面に動物の排泄を促し、吸収せしめる。この排泄物を吸収した粒体８又は薄片８′は水洗トイレ等に流し廃棄する。上記粒体８又は薄片８′は上記凝固剤が水分を吸収して粘着性を持つことにより、相互に凝集し廃棄と交換を容易にする。
【００３１】
上記破砕紙片７は単独で粒子化又は薄片化するか、これに木粉を混ぜ上記粒体８又は薄片８′を形成して吸水性能を改善すると共に、木粉特有の香りにより嘔吐物又は排泄物の異臭を抑制する。
【００３２】
又上記破砕紙片７に抄紙過程で排出されるパルプスラッジを単独で混ぜるか、又は上記凝固剤の一又は二以上、又は上記木粉と併用し混合して上記粒体８又は薄片８′を圧縮成形する。
【００３３】
又破砕紙片７内又は破砕紙片７と上記木粉，無機充填材，パルプスラッジの一種又は二種以上を混合した混合体内に脱臭剤、芳香剤を混合し粒体８又は薄片８′を圧縮成形する。同様に破砕紙片７内又はこの混合体内に、炭酸カルシウム、タルク、クレーに代表される無機充填剤（粉体）を混合して上記粒体８又は薄片８′を圧縮成形し、増量材として機能せしめると共に重量を付与し散乱を抑制する。
【００３４】
他方包装箱を原料とする場合について説明する。図４Ａ，Ｂ，Ｃ，Ｄ，Ｅに示すように、上記破砕によって形成された包装箱５の破砕紙片７は紙層２を組成するパルプ繊維７ｂがほぐされて（離解状態になって）絡み合い綿状を呈する。
【００３５】
図４Ａに示すように、この破砕紙片７はその破砕度により一部がほぐされないで未離解紙片７ａを原形として保有しつつ、この未離解紙片７ａの周辺に上記離解された綿状の離解パルプ繊維７ｂを有する。
【００３６】
又は図４Ｅに示すように、破砕紙片７の一部は全体が離解されて綿状を呈する離解パルプ繊維７ｂから成る。この場合、全体が綿状に離解されその表層に上記樹脂コート層６を残留しないものと、残留するものとが存する。
【００３７】
上記図４Ａに示す破砕紙片７は図４Ｂに示すように、紙層２の両面の表層に樹脂コート層６を残留保持する。又は図４Ｃ，Ｄに示す破砕紙片７は包装箱５の板紙が厚い紙層２から成るので、該紙層２が二層に分割されて、一方の分割紙層２の表側の表層に樹脂コート層６を残留する破砕紙片７と、他方の分割紙層２の裏側の表層に樹脂コート層６を残留する破砕紙片７が形成される。
【００３８】
本発明は上記樹脂コート層６を残留保持する破砕紙片７と、樹脂コート層６を残留保持しない破砕紙片７とが混在する場合を含む。
【００４５】
上記包装箱５を原料とする上記破砕紙片７を多数集合し造粒し、図５Ａに示す粒体８を形成する。好ましい例として、上記破砕紙片７の集合体又は上記破砕紙片７と上記木粉，無機充填材，パルプスラッジの一種又は二種以上を混合した混合体に吸収性ポリマー又はでんぷん又はＣＭＣ等の凝固剤を混合撹拌し、噴霧又はシャワーにて貧加水して撹拌し、これを既知の造粒機にかけ造粒して乾燥し、図５に示す粒体８を得る。
【００４６】
又は上記綿状破砕紙片７の集合体又は上記破砕紙片７と上記木粉，無機充填材，パルプスラッジの一種又は二種以上を混合した混合体に凝固剤を混合し、噴霧又はシャワーにて貧加水して撹拌し、これを既知の圧縮機にかけ平板状にし、これを細分化して上記薄片８′を形成する。
【００４７】
上記凝固剤は貧加水と乾燥によって適度に固化し、綿状破砕紙片７相互の結合材として機能する。即ち保形材として機能し、粒体８の粒子形態と薄片８′の形態を保持する。
【００４８】
又は上記凝固剤（粉体）の一又は二以上を粒体８及び薄片８′の表面を覆うようにまぶし、噴霧又はシャワーにて貧加水して弱凝固せしめ凝固剤の被覆層を形成する。
【００４９】
上記包装箱５を原料とする粒体８又は薄片８′を嘔吐物の表面を覆うように多量にかけ、嘔吐物の水分を吸収させた上で回収し廃棄する。例えば、水洗トイレ等にそのまま流す。
【００５０】
又動物の場合には、トレー等の便器に上記粒体８又は薄片８′を多量に敷設し、その上面に動物の排泄を促し、吸収せしめる。この排泄物を吸収した粒体８又は薄片８′は水洗トイレ等に流し廃棄する。
【００５１】
上記粒体８又は薄片８′は上記凝固剤が水分を吸収して粘着性を持つことにより、相互に凝集し廃棄と交換を容易にする。
【００５２】
上記破砕紙片７は単独で粒子化又は薄片化するか、これに木粉を混ぜ上記粒体８又は薄片８′を形成して吸水性能を改善すると共に、木粉特有の香りにより嘔吐物又は排泄物の異臭を抑制する。
【００５３】
又上記破砕紙片７に抄紙過程で排出されるパルプスラッジを単独で混ぜるか、又は上記凝固剤の一又は二以上、又は上記木粉と併用し混合して上記粒体８又は薄片８′を圧縮成形する。
【００５４】
又破砕紙片７内又は破砕紙片７と上記凝固剤、木粉、パルプスラッジの一種又は二種以上の混合体内に脱臭剤、芳香剤を混合し粒体８又は薄片８′を圧縮成形する。同様にこの混合体内に、炭酸カルシウム、タルク、クレーに代表される無機充填剤（粉体）を混合して上記粒体８又は薄片８′を圧縮成形し、増量材として機能せしめると共に重量を付与し散乱を抑制する。
【００５５】
図７は、上記乗車券１又は包装箱５を原料とする破砕紙片７を造粒する手段を例示している。図に示すように、上記綿状破砕紙片７又は前記混合体をシリンダー内に投入し、該シリンダー内のスクリューシャフト１４等の圧送手段により圧縮しつつ移送して、シリンダー前端の押し出しヘッド１５の多数の小孔１６から上記綿状破砕紙片７又はその混合体を棒状に圧縮しつつ押し出し分断することにより、上記粒体８を形成する。上記綿状破砕紙片７は貧加水された水分により互いに結合し粒状形態となる。又上記凝固剤を混合し上記造粒機にかけることにより、この凝固剤を部分反応させて破砕紙片７間の結合を強化し粒体８の粒状形体を確保する。
【００５６】
図５Ａに示すように、上記押し出し形の造粒機によって形成された粒体８は短柱状を呈し、両端面に吸水性のより良好な破断面８ａを有し、小孔１６の選択により直径Ｒを１〜１０ｍｍ程度にし、且つ長さＷを１〜１５ｍｍ程度にする。この程度の大きさのものを粒体８と称する。勿論上記粒体８を円形粒子、楕円粒子又は角形粒子等、その他不定形粒子とする場合を含む。
【００５７】
同様に上記図５Ｂに示す薄片８′は四側面に吸水性のより良好な破断面８ａを有し、１〜１５ｍｍ平方内に収まる定形又は不定形の大きさにする。
【００５８】
上記粒体８及び薄片８′の他例として、乗車券１又は包装箱５を湿潤状態で離解機にかけて離解し、この離解パルプを造粒し又は薄片化して乾燥し、上記粒体８又は薄片８′を形成する。
【００５９】
【発明の効果】
【００６０】
上記嘔吐物用又は排泄物用処理材は、乗車券と包装箱を原料として再利用し、省資源に有益であるばかりか、該乗車券又は包装箱が固有する磁気層又は樹脂コート層を、紙層中に毛管現象により吸収した水分の遮水層として有効に機能せしめ、同処理材の機能を向上せしめる。
【図面の簡単な説明】
【図１】乗車券の断面図。
【図２】包装箱の部分拡大断面図。
【図３】Ａは乗車券を原料とする破砕紙片の拡大平面図、Ｂは同拡大断面図、Ｃは同破砕紙片の別の形態を示す拡大平面図。
【図４】Ａは包装箱を原料とする破砕紙片の拡大平面図、Ｂ，Ｃ，Ｄは同拡大断面図、Ｅは同破砕紙片の別の形態を示す拡大平面図。
【図５】Ａは上記乗車券又は包装箱を原料とする粒体の拡大斜視図、Ｂは同薄片の拡大斜視図。
【図６】破砕紙片の形成装置を例示する断面図。
【図７】造粒機を例示する断面図。
【符号の説明】
１      乗車券
２      紙層
３      印刷層
４      磁気層
５      包装箱
６      樹脂コート層
７      破砕紙片
７ａ    未離解紙片
７ｂ    パルプ繊維
８      粒体
８′    薄片
８ａ    破断面
９      スクリーン
１０    上部供給口
１１    ハンマークラッシャー
１２    破砕歯
１４    スクリューシャフト
１５    押し出しヘッド
１６    小孔
【図１】
0003578731.tif 000002
【図２】
0003578731.tif 000003
【図３】
0003578731.tif 000004
【図４】
0003578731.tif 000005
【図５】
0003578731.tif 000006
【図６】
0003578731.tif 000007
【図７】
0003578731.tif 000008